(57)【特許請求の範囲】
【請求項１】
表示部と一体に構成されたタッチパネルにおける入力操作に応じて、ページ単位の複数の電子情報を上記ページ単位で上記表示部に表示する情報処理装置において、
情報を記憶する記憶部と、
上記表示部における上記電子情報の表示領域にて行われたページ分割の入力操作を上記タッチパネルを介して取得するページ分割操作取得手段と、
上記ページ分割の入力操作に基づき、上記表示領域を複数の分割領域に分割する分割手段と、
該分割手段が分割した分割領域ごとに、表示される上記電子情報のページ番号である表示ページ番号と、上記分割領域の位置情報とを対応付けた分割管理情報を作成して、上記記憶部に記憶する管理情報作成手段と、
上記表示領域にて行われたページ捲りの入力操作を上記タッチパネルを介して取得するページ捲り操作取得手段と、
上記記憶部に記憶された分割管理情報を参照して、上記ページ捲りの入力操作が行われた位置が含まれる分割領域を特定し、特定した分割領域に対応する上記表示ページ番号を上記ページ捲りの入力操作に基づいて更新する管理情報更新手段と、
上記記憶部に記憶された分割管理情報を参照して、上記分割領域ごとに、当該分割領域に対応する上記表示ページ番号の電子情報のうち、当該分割領域に対応する部分を表示するように上記表示部を制御する分割表示制御手段とを備えることを特徴とする情報処理装置。
【請求項２】
上記分割手段は、分割対象の電子情報を設定し、設定した電子情報のページ番号を分割対象ページ番号として上記記憶部に記憶しており、
上記電子情報を上記ページ単位で上記表示部に表示するように制御する通常表示制御手段と、
上記ページ捲り操作取得手段が取得した上記ページ捲りの入力操作と、上記記憶部に記憶された分割対象ページ番号とに基づいて、上記分割表示制御手段による表示制御と、上記通常表示制御手段による表示制御とを切り換える表示制御切換手段とをさらに備えることを特徴とする請求項１に記載の情報処理装置。
【請求項３】
上記分割手段は、上記ページ分割の入力操作に応じて、上記分割対象ページ番号を設定することを特徴とする請求項２に記載の情報処理装置。
【請求項４】
上記分割表示制御手段は、上記記憶部に記憶された分割管理情報を参照して、各分割領域に、当該分割領域に対応する上記表示ページ番号を表示するように上記表示部を制御することを特徴とする請求項１から３までの何れか１項に記載の情報処理装置。
【請求項５】
請求項１から４までの何れか１項に記載の情報処理装置を動作させる制御プログラムであって、コンピュータを上記の各手段として機能させるための制御プログラム。
【請求項６】
請求項５に記載の制御プログラムが記録されたコンピュータ読取り可能な記録媒体。
【請求項７】
表示部と一体に構成されたタッチパネルにおける入力操作に応じて、ページ単位の複数の電子情報を上記ページ単位で上記表示部に表示する情報処理装置の制御方法であって、
上記表示部における上記電子情報の表示領域にて行われたページ分割の入力操作を上記タッチパネルを介して取得するページ分割操作取得ステップと、
上記ページ分割の入力操作に基づき、上記表示領域を複数の分割領域に分割する分割ステップと、
該分割ステップにて分割された分割領域ごとに、表示される上記電子情報のページ番号である表示ページ番号と、上記分割領域の位置情報とを対応付けた分割管理情報を作成して、記憶部に記憶する管理情報作成ステップと、
上記表示領域にて行われたページ捲りの入力操作を上記タッチパネルを介して取得するページ捲り操作取得ステップと、
上記記憶部に記憶された分割管理情報を参照して、上記ページ捲りの入力操作が行われた位置が含まれる分割領域を特定し、特定した分割領域に対応する上記表示ページ番号を上記ページ捲りの入力操作に基づいて更新する管理情報更新ステップと、
上記記憶部に記憶された分割管理情報を参照して、上記分割領域ごとに、当該分割領域に対応する上記表示ページ番号の電子情報のうち、当該分割領域に対応する部分を表示するように上記表示部を制御する分割表示制御ステップとを含むことを特徴とする情報処理装置の制御方法。
【発明の詳細な説明】
【技術分野】
【０００１】
本発明は電子情報をページ単位で表示する情報処理装置、情報処理装置の制御方法、制御プログラム、および記録媒体に関する。
【背景技術】
【０００２】
従来、コンピュータの普及とともに、ユーザがより直感的にコンピュータを操作できるように、種々のユーザーインターフェースが開発されている。特に近年、これまで紙媒体で提供されていた情報を、電子化して情報提供する技術分野において、数々のユーザーインターフェースの提案がなされている。
【０００３】
例えば、特許文献１には、表示画面を容易に分割できる表示装置が開示されている。また、特許文献２には、表示面を複数の画面に簡単に分割して表示できる表示装置が開示されている。
【先行技術文献】
【特許文献】
【０００４】
【特許文献１】特開２０１０−０９７４７３号公報（２０１０年０４月３０日公開）
【特許文献２】特開平０９−２０４２８８号公報（１９９７年０８月０５日公開）
【発明の概要】
【発明が解決しようとする課題】
【０００５】
上述の特許文献１・２によれば、表示領域を容易に分割することが実現できるが、分割された領域に対する操作に関しては、未だ改良の余地がある。本発明は、上記の問題点に鑑みてなされたものであり、その目的は、ユーザの利便性を向上させることができる情報処理装置などを提供することにある。
【課題を解決するための手段】
【０００６】
本発明に係る情報処理装置は、表示部と一体に構成されたタッチパネルにおける入力操作に応じて、ページ単位の複数の電子情報を上記ページ単位で上記表示部に表示する情報処理装置において、上記課題を解決するために、情報を記憶する記憶部と、上記表示部における上記電子情報の表示領域にて行われたページ分割の入力操作を上記タッチパネルを介して取得するページ分割操作取得手段と、上記ページ分割の入力操作に基づき、上記表示領域を複数の分割領域に分割する分割手段と、該分割手段が分割した分割領域ごとに、表示される上記電子情報のページ番号である表示ページ番号と、上記分割領域の位置情報とを対応付けた分割管理情報を作成して、上記記憶部に記憶する管理情報作成手段と、上記表示領域にて行われたページ捲りの入力操作を上記タッチパネルを介して取得するページ捲り操作取得手段と、上記記憶部に記憶された分割管理情報を参照して、上記ページ捲りの入力操作が行われた位置が含まれる分割領域を特定し、特定した分割領域に対応する上記表示ページ番号を上記ページ捲りの入力操作に基づいて更新する管理情報更新手段と、上記記憶部に記憶された分割管理情報を参照して、上記分割領域ごとに、当該分割領域に対応する上記表示ページ番号の電子情報のうち、当該分割領域に対応する部分を表示するように上記表示部を制御する分割表示制御手段とを備えることを特徴としている。
【０００７】
また、本発明に係る情報処理装置の制御方法は、表示部と一体に構成されたタッチパネルにおける入力操作に応じて、ページ単位の複数の電子情報を上記ページ単位で上記表示部に表示する情報処理装置の制御方法であって、上記課題を解決するために、上記表示部における上記電子情報の表示領域にて行われたページ分割の入力操作を上記タッチパネルを介して取得するページ分割操作取得ステップと、上記ページ分割の入力操作に基づき、上記表示領域を複数の分割領域に分割する分割ステップと、該分割ステップにて分割された分割領域ごとに、表示される上記電子情報のページ番号である表示ページ番号と、上記分割領域の位置情報とを対応付けた分割管理情報を作成して、記憶部に記憶する管理情報作成ステップと、上記表示領域にて行われたページ捲りの入力操作を上記タッチパネルを介して取得するページ捲り操作取得ステップと、上記記憶部に記憶された分割管理情報を参照して、上記ページ捲りの入力操作が行われた位置が含まれる分割領域を特定し、特定した分割領域に対応する上記表示ページ番号を上記ページ捲りの入力操作に基づいて更新する管理情報更新ステップと、上記記憶部に記憶された分割管理情報を参照して、上記分割領域ごとに、当該分割領域に対応する上記表示ページ番号の電子情報のうち、当該分割領域に対応する部分を表示するように上記表示部を制御する分割表示制御ステップとを含むことを特徴としている。
【０００８】
上記の構成および方法によると、ページ分割の入力操作に基づいて、表示領域が複数の分割領域に分割されており、或る分割領域にてページ捲り操作が行われると、このページ捲り操作に基づいて、当該分割領域に対応する表示ページ番号が更新され、更新された表示ページ番号の電子情報のうち、当該分割領域に対応する部分が表示される。すなわち、表示されている或るページの或る部分が、ページ捲り操作によって、別のページの同じ部分に変更されることになる。
【０００９】
例えば、紙媒体の手帳において、ユーザは、或る情報を、或るページの或る部分に記入したと疎覚え（うろおぼえ）していることが多い。そこで、本発明によると、ユーザは、現在表示されているページの検討中に、以前に記入した情報の参照を所望する場合、該情報を記入したと疎覚えしている疎覚え部分と残りの部分とにページ分割し、該疎覚え部分に対し上記ページ捲り操作を行うと、別のページの同じ疎覚え部分が表示される。従って、ユーザは、上記ページ捲り操作を繰り返すことにより、上記記入した情報を容易に見出して、検討中のページの上記残り部分と、上記記入した情報との両方を同時に参照することができる。
【００１０】
また、紙媒体の手帳において、ユーザは、特定の種類の情報を任意のページの特定部分に記入することが多い。そこで、本発明によると、ユーザは、現在表示されているページの検討中に、上記特定の種類の情報の参照または記入を所望する場合、上記特定部分と残りの部分とにページ分割し、該特定部分に対し上記ページ捲り操作を行うと、別のページの同じ特定部分が表示される。従って、ユーザは、検討中のページの上記残り部分を参照したり記入したりしつつ、別のページの上記特定部分に対し、上記特定の種類の情報を参照したり記入したりすることができる。
【００１１】
このように、本発明によると、ページ上の或る部分と別の部分とに関して、或るページの上記或る部分について情報を参照したり記入したりしつつ、別のページの上記別の部分について情報を参照したり記入したり、さらに別のページの上記別の部分について情報を参照したり記入したりすることができ、ユーザの利便性を向上させることができる。
【００１２】
本発明に係る情報処理装置では、上記分割手段は、分割対象の電子情報を設定し、設定した電子情報のページ番号を分割対象ページ番号として上記記憶部に記憶しており、上記電子情報を上記ページ単位で上記表示部に表示するように制御する通常表示制御手段と、上記ページ捲り操作取得手段が取得した上記ページ捲りの入力操作と、上記記憶部に記憶された分割対象ページ番号とに基づいて、上記分割表示制御手段による表示制御と、上記通常表示制御手段による表示制御とを切り換える表示制御切換手段とをさらに備えてもよい。
【００１３】
この場合、設定された分割対象ページ番号の電子情報のみが分割表示され、その他の電子情報がページ単位で通常表示されることになる。これにより、分割表示が望ましくない電子情報に対し分割表示を行わないようにすることができ、ユーザの利便性がさらに向上する。なお、上記分割対象ページ番号は、１つでも複数でもよいし、連続するページ番号でも離散的なページ番号でもよい。連続するページ番号の場合、ページ番号の最小値と最大値とを記憶部に記憶すればよい。
【００１４】
また、上記分割手段は、上記ページ分割の入力操作に応じて、上記分割対象ページ番号を設定してもよい。この場合、上記分割対象の電子情報をユーザが設定することができる。また、上記分割対象ページ番号は、情報処理装置が自動的に設定してもよい。
【００１５】
本発明に係る情報処理装置では、上記分割表示制御手段は、上記記憶部に記憶された分割管理情報を参照して、各分割領域に、当該分割領域に対応する上記表示ページ番号を表示するように上記表示部を制御することが好ましい。この場合、ユーザは、各分割領域に表示されているページを把握できるので、利便性がさらに向上する。なお、上記分割管理情報に、上記ページ番号を表示するページ番号領域の位置情報をさらに対応付けて記憶部に記憶しておき、この位置情報に基づいて、各分割領域に対応する上記ページ番号を表示してもよい。
【００１６】
なお、上記情報処理装置の各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【発明の効果】
【００１７】
以上のように、本発明に係る情報処理装置は、ページ分割の入力操作に基づいて、表示領域が複数の分割領域に分割されており、或る分割領域にてページ捲り操作が行われると、このページ捲り操作に基づいて、当該分割領域に対応する表示ページ番号が更新され、更新された表示ページ番号の電子情報のうち、当該分割領域に対応する部分が表示されるので、ページ上の或る部分と別の部分とに関して、或るページの上記或る部分について情報を参照したり記入したりしつつ、別のページの上記別の部分について情報を参照したり記入したり、さらに別のページの上記別の部分について情報を参照したり記入したりすることができ、ユーザの利便性を向上させることができるという効果を奏する。
【図面の簡単な説明】
【００１８】
【図１】本発明の一実施形態に係る電子ノート装置の概略構成を示すブロック図である。
【図２】電子ノート情報のデータ構造について例示したデータ構造図である。
【図３】電子ノートの１ページ目のページ情報を表示した場合について例示する図である。
【図４】電子ノートの２ページ目のページ情報を表示した場合について例示する図である。
【図５】電子ノートに対する編集機能を集約したツールボックスについて示す図である。
【図６】上記電子ノート装置の記憶部に記憶される分割管理テーブルの一例を表形式で示す図である。
【図７】上記電子ノート装置におけるページ分割表示機能に関して、ユーザが表示部の編集領域にて行う操作の一例を示す図である。
【図８】上記電子ノート装置における電子ノート機能部のページ分割処理の流れについて示したフローチャートである。
【図９】上記電子ノート機能部における分割表示処理の流れについて示したフローチャートである。
【図１０】上記電子ノート機能部における分割表示処理の流れについて示したフローチャートである。
【図１１】上記ページ分割表示機能に関して、ユーザが上記表示部の編集領域にて行う操作の別の例を示す図である。
【図１２】上記ページ分割表示機能に関して、ページ分割の表示の一例を示す図である。
【図１３】本発明の他の実施形態に係る電子ノート装置の概略構成を示すブロック図である。
【図１４】上記電子ノート装置の記憶部に記憶される分割ページの範囲の一例を表形式で示す図である。
【図１５】上記ページ分割の表示の別の例を示す図である。
【図１６】上記ページ分割の表示の他の例を示す図である。
【図１７】上記電子ノート装置の電子ノート機能部における分割表示モードの処理の流れについて示したフローチャートである。
【図１８】上記電子ノート機能部における通常表示モードの処理の流れについて示したフローチャートである。
【発明を実施するための形態】
【００１９】
〔実施形態１〕
本発明の一実施形態について図１〜図１１を参照して説明すると以下のとおりである。
【００２０】
まず、図１を用いて、本実施形態に係る電子ノート装置（情報処理装置）１００の機能概要について説明する。図１は、電子ノート装置１００の一構成例を示すブロック図である。
【００２１】
電子ノート装置１００は、ユーザからの手書き入力を受け付けて、ソフトウェア上で実現されたノートをユーザに編集させるための機能や、その他の情報処理機能を提供するためのものである。なお、以下において、ソフトウェア上で実現されているノートを電子ノートと称する。
【００２２】
図１に示すように、電子ノート装置１００は、タッチパネル部１２０、記憶部１３０、および主制御部１４０を備える構成である。
【００２３】
タッチパネル部１２０は、電子ノート装置１００における入力操作および画面表示といったユーザーインターフェースを提供するものであり、表示部１２１と、位置入力部（タッチパネル）１２２と、を含む構成である。
【００２４】
位置入力部１２２は、タッチパネル部１２０の操作面へのタッチ操作が行われた位置であるタッチ位置を検出し、検出した位置に応じた入力位置情報を生成する。
【００２５】
ここで、タッチ操作とは、タッチペン１５１などの指示部材や、ユーザの指１５２等を操作面に接触させる操作のことである。また、タッチ位置とは、タッチペン１５１や、ユーザの指１５２を操作面に接触させた場合に、位置入力部１２２が検出する位置のことである。
【００２６】
また、位置入力部１２２は、例えば、タッチパネルにより実現することができる。ここでは、位置入力部１２２がタッチ位置を検出する手法として、例示的に、静電容量方式を採用している。しかしながら、これに限られず、例えば、マトリクス・スイッチ、抵抗膜方式、表面弾性波方式、赤外線方式、電磁誘導方式、静電容量方式、および、対象物の画像を検出する方式（光センサ方式）などの種々の手法を適宜採用することができる。
【００２７】
そして、位置入力部１２２は、例示的に、複数のタッチ位置を同時に検出可能に構成している。なお、これに限られず、位置入力部１２２を、単一のタッチ位置のみを検出するように構成してもよい。
【００２８】
位置入力部１２２は、タッチペン１５１によるタッチ操作と、ユーザの指１５２によるタッチ操作とを判別して検出する。これは、例えば、位置入力部１２２を次のように構成することにより実現することができる。
【００２９】
すなわち、位置入力部１２２がタッチペン１５１または指１５２の接触を検知した領域を検出して、検出した領域の広さを算出する。そして、位置入力部１２２は、算出した領域の広さが、所定の広さより広ければ指１５２によるタッチ操作であると判別し、所定の広さより狭ければタッチペン１５１によるタッチ操作であると判別する。
【００３０】
位置入力部１２２は、タッチ操作がタッチペン１５１によるものか、それともユーザの指１５２によるものかを示す種別を入力位置情報に含めてもよい。
【００３１】
また、位置入力部１２２は、タッチペン１５１のペン先が、タッチパネル部１２０の操作面に接触せずに、微小距離だけ離れた近接位置に保持されている状態、いわゆるホバー状態を検知することができる。
【００３２】
位置入力部１２２は、操作面上のタッチ位置を示す２次元の座標データを入力位置情報として生成してもよい。また、位置入力部１２２は、タッチ操作の圧力を検出して、検出した圧力に関する情報を入力位置情報に含めてもよい。
【００３３】
表示部１２１は、画像データを表示するための表示画面を有しており、主制御部１４０から画像データを受信し、受信した画像データに基づいてその表示画面に画像を表示するものである。表示部１２１は、例えば、ＬＣＤ（Liquid Crystal Display）、ＰＤＰ（Plasma Display Panel）、ＥＬ（Electroluminescence）ディスプレイ、電子ペーパーなどにより実現可能である。
【００３４】
なお、位置入力部１２２は、例示的に、表示部１２１の表示画面の上に、重ね合わせられた一体構造として形成し、表示画面の座標と、操作面の座標とが対応するようにしている。この両者の座標を対応付けるための情報が記憶部１３０に記憶されていてもよい。
【００３５】
また、位置入力部１２２は、表示部１２１の表示画面における表示を妨げないよう、表示画面に対応する部分が光を透過する部材により構成される。
【００３６】
このような構成により、表示部１２１に表示された画面を、ユーザが確認しながら、操作面に対して入力操作を行えるようになっている。表示部１２１に表示される画面について、具体的に例示すれば、表示部１２１は、アイコンなどのＧＵＩ（Graphical User Interface）画面を表示画面に表示する。そして、位置入力部１２２の操作面がユーザの指（または、タッチペン）によりタッチされることにより、タッチされたアイコンや画像に対応する座標情報が位置入力部１２２によって生成される。
【００３７】
以上、タッチパネル部１２０の構成について例示したが、これに限られず、表示画面と操作面とが共用されるものであれば、任意の構造のものが利用できる。
【００３８】
記憶部１３０は、各種データおよびプログラムを記憶するものである。記憶部１３０は、例えば、ハードディスク、フラッシュメモリ、ＲＯＭ（Read Only Memory）、ＲＡＭ（Random Access Memory）等により構成することができる。記憶部１３０の詳細については後述する。
【００３９】
主制御部１４０は、電子ノート装置１００における各種構成を統括的に制御するものである。主制御部１４０の機能は、例えばＲＡＭやフラッシュメモリなどの記憶素子に記憶されたプログラムをＣＰＵ（Central Processing Unit）が実行することによって実現される。
【００４０】
（記憶部および主制御部の具体的構成）
続いて、記憶部１３０および主制御部１４０のより具体的な構成について説明すると次のとおりである。
【００４１】
まず、記憶部１３０の構成について説明する。図１に示すように、記憶部１３０は、電子ノート情報記憶部１３１および分割管理テーブル記憶部１３２を備える。
【００４２】
電子ノート情報記憶部１３１には、電子ノート情報が記憶されている。図２を用いて、電子ノート情報のデータ構造について説明すると次のとおりである。同図は、電子ノート情報のデータ構造について例示したデータ構造図である。
【００４３】
図２に示すように、電子ノート情報Ｎ１は、電子ノートの各ページについての電子情報であるページ情報Ｐ１を含む。ページ情報Ｐ１は、「ページ番号」、「編集情報」、および「リフィルタイプ」のデータを含む。
【００４４】
「ページ番号」は、そのページに割り当てられたページ番号を示す。また、「編集情報」は、ユーザが、タッチパネル部１２０を介して、手書きで自由に編集できるデータ領域である。「編集情報」のデータフォーマットには、デジタルインク方式や、ビットマップ方式に基づくものを採用することができる。
【００４５】
「リフィルタイプ」には、各ページに設定するリフィルの種類が設定される。ここでリフィルの種類とは、シートの柄のことであり、例えば、紙媒体のノートに付されているような罫線等を表示するものである。この表示は、例えば、シートの背景に罫線等を表した背景画像を表示することにより実装される。
【００４６】
リフィルタイプには複数の種類があり、その例としては、７ｍｍ横罫や、ドット入り６ｍｍ横罫等の横罫線、５ｍｍ方眼、無地、および会議録等が挙げられる。
【００４７】
分割管理テーブル記憶部１３２には、分割表示に利用される分割管理テーブル（分割管理情報）が記憶されている。なお、分割管理テーブルの詳細については後述する。
【００４８】
次に、再び、図１を参照しながら、主制御部１４０について説明すると次のとおりである。主制御部１４０は、電子ノート装置１００が備える各情報処理機能を実現するためのアプリケーション部１４１を有している。
【００４９】
アプリケーション部１４１は、電子ノート機能部１４２、スケジュール管理機能部１４３、および、インターネット機能部１４４を備えている。
【００５０】
電子ノート機能部１４２は、電子ノートの編集・閲覧を行う電子ノート機能を提供するものである。また、スケジュール管理機能部１４３は、スケジュールの編集・管理を行うスケジュール管理機能を提供するものである。また、インターネット機能部１４４は、外部ネットワークと通信するための通信部（不図示）を介してインターネットに通信接続するインターネット機能を提供するためのものである。
【００５１】
このように、電子ノート装置１００のアプリケーション部１４１は、電子ノート機能だけでなく、スケジュール管理機能や、インターネット機能等の各種機能を提供する。アプリケーション部１４１が提供する各種機能は、任意のアプリケーションをインストールまたはアンインストールすることによって、追加または削除することができる。
【００５２】
そして、アプリケーション部１４１は、タッチパネル部１２０が、ユーザからのアプリケーション切り替え操作を受け付けると、受け付けた切り替え操作に応じて、電子ノート機能部１４２による電子ノート機能、スケジュール管理機能部１４３によるスケジュール管理機能、およびインターネット機能部１４４によるインターネット機能を相互に切り替えることができる。
【００５３】
また、電子ノート装置１００の起動時には、電子ノート機能部１４２における電子ノート機能が動作するようになっていてもよい。
【００５４】
また、アプリケーション部１４１は、タッチパネル部１２０の位置入力部１２２から送信される入力位置情報をもとに、ユーザがタッチパネル部１２０に対して行ったタッチ操作やジェスチャーを認識する機能を備える。ここで、ジェスチャーとは、所定のパターンに従ってするタッチ操作のことであるが、その詳細は以下のとおりである。
【００５５】
アプリケーション部１４１が認識するジェスチャーには、例えば、シングルタッチ、ダブルタッチ、ドラッグ、およびフリック等が含まれる。
【００５６】
シングルタッチは、タッチパネル部１２０のある位置に指１５２等を接触させて、すぐに離すタッチ操作をするジェスチャーである。
【００５７】
ダブルタッチは、タッチパネル部１２０に対して、上記シングルタッチを所定の短い時間内に続けて２回行うジェスチャーである。
【００５８】
また、ドラッグは、タッチパネル部１２０に指１５２等を接触させた状態にして、そのまま指１５２等をスライドさせるジェスチャーである。
【００５９】
フリックは、タッチパネル部１２０に指１５２等を接触させて、そのまま指１５２等をスライドさせ、所定の短い時間内に接触している指１５２等をタッチパネル部１２０から離すタッチ操作をするジェスチャーのことである。すなわち、フリックとは、タッチパネル部１２０を軽くはじくような動作となる。
【００６０】
アプリケーション部１４１は、ジェスチャーを認識すると、認識したジェスチャーを示すジェスチャー情報を生成する。
【００６１】
ジェスチャー情報とは、ユーザが画面をタッチしたときにおけるタッチ位置の座標の変化を示す情報のことである。ジェスチャー情報の具体例としては、ユーザが画面垂直方向の上から下の向きにドラッグを行って変化したタッチ位置の座標の変化量を示す情報が挙げられる。なお、ジェスチャー情報は、ユーザがどのようなジェスチャーをどの方向に対して行ったかを示す情報であってもよい。
【００６２】
アプリケーション部１４１は、生成したジェスチャー情報を、電子ノート機能部１４２、スケジュール管理機能部１４３、および、インターネット機能部１４４に通知する。
【００６３】
（電子ノート機能の概要について）
図３〜５を用いて、電子ノート装置１００のアプリケーション部１４１の電子ノート機能部１４２において実現されている電子ノート機能の概要について説明すると次のとおりである。
【００６４】
まず、図３を用いて、タッチパネル部１２０の表示部１２１において表示される電子ノートの外観について説明する。図３は、電子ノートの１ページ目のページ情報Ｐ１を表示した場合について例示している。
【００６５】
なお、例示的に、ページ情報Ｐ１の「ページ番号」は、“１”であり、「リフィルタイプ」には“横罫線”が設定されているものとする。また、ページ情報Ｐ１の「編集情報」には、“Ｐ１．ｍｅｍｏ  ＡＢＣＤＥＦＧＨＩＪＫＬＭＮ”が手書き入力されているものとする。
【００６６】
図３に示すように、電子ノートの表示領域には、ページ情報Ｐ１の「ページ番号」を表示するためのページ番号領域２０１、「編集情報」を表示するための編集領域２０２が含まれる。図３に示すページ番号領域２０１には、ページ情報Ｐ１の「ページ番号」である“１”が表示されている。また、同図において、ページ番号領域２０１には、「編集情報」の“Ｐ１．ｍｅｍｏ  ＡＢＣＤＥＦＧＨＩＪＫＬＭＮ”が表示される。
【００６７】
また、図３示すページ情報Ｐ１の表示において、左側が、紙媒体のノートでいうところのノドの部分に該当する。つまり、図３の左側は、紙媒体のノートの見開き中央部分、すなわちノートの綴じ側に該当する。一方、図３示すページ情報Ｐ１の表示において、右側は、紙媒体のノートの外側、つまり小口（前小口）に該当する。
【００６８】
なお、この構成は一例として示したものに過ぎず、上下に開くノートのように構成することも可能である。
【００６９】
ユーザは、タッチパネル部１２０を介して、編集領域２０２において「編集情報」を編集可能である。なお、「ページ番号」は、電子ノート機能部１４２において自動的に番号が割り振られて管理される。
【００７０】
また、図３に加えて図４を用いて、電子ノート機能部１４２が実現している電子ノートのページ送りについて説明すると次のとおりである。図４は、電子ノートの２ページ目のページ情報Ｐ２を表示した場合について例示している。
【００７１】
電子ノート機能部１４２は、図３および図４に示す状態において、ページ捲りジェスチャー情報を受け付ける。ページ捲りジェスチャー情報は、例えば、画面水平方向、左右の向きへのフリックを示すものである。そして、ページ捲りジェスチャー情報に応じて、電子ノート機能部１４２は、電子ノート情報記憶部１３１から、現在表示されているページの次のページのページ情報を読み出して、表示部１２１に表示させたり、現在表示されているページの前のページのページ情報を読み出して、表示部１２１に表示させたりする。
【００７２】
具体的には、図３に示す矢印Ｆ１の方向にフリック（左フリック）を行うと、１ページ目が捲れる表示効果の後、電子ノート機能部１４２によって２ページ目のページ情報Ｐ２が読み出され、図４に示すように、２ページ目のページ情報Ｐ２が表示部１２１に表示される。ここでは、図４に示すように、ページ情報Ｐ２の編集情報である“Ｐ．２ｍｅｍｏ  ａｂｃｄｅｆｇ”が表示される。
【００７３】
逆に、図４に示すように、２ページ目のページ情報Ｐ２が表示されているときに、矢印Ｆ２の方向にフリック（右フリック）を行うと、電子ノート機能部１４２によって１ページ目のページ情報Ｐ１が読み出され、図３に示す１ページ目のページ情報Ｐ１が表示部１２１に表示される。
【００７４】
このように、電子ノート機能部１４２は、左フリックを検知すると、次のページを表示させる一方で、右フリックを検知すると、前のページを表示させる。
【００７５】
なお、電子ノート機能部１４２は、先頭ページを表示させている場合、つまり、１ページ目を表示させている場合に、右フリックを検知したとしても、何の動作も行わないように構成してもよい。また、電子ノート機能部１４２は、最終ページを表示させている場合に、左フリックを検知した場合、新規ページを作成するとともに、当該新規ページへのページ送りを行ってもよい。
【００７６】
本実施形態では、電子ノート機能部１４２は、ページ情報を表示する際に、表示画面を２つの領域に分割して、一方の表示領域に、あるページのページ情報を表示し、他方の表示領域に別のページ情報を表示する分割表示機能を有している。なお、該分割表示機能の詳細については後述する。
【００７７】
次に、図５を用いて、電子ノートに対して行う編集機能について説明する。電子ノートの編集において、ユーザは、図５示すような、各種の編集機能を集約したツールボックス２１０を使用することができる。ツールボックス２１０は、タッチパネル部１２０におけるユーザの操作、すなわちアプリケーション部１４１から通知されるジェスチャー情報に応じて呼び出される。
【００７８】
ツールボックス２１０には、利用中のアプリケーションで利用するツール(電子文具)が格納されている。
【００７９】
図５に示すツールボックス２１０には、一例として、定規２１１、リフィル２１２、アートナイフ２１３およびペンケース２１４が格納されている。
【００８０】
定規２１１は、直線や、円形などの図形描画を編集領域２０２において行うためのツールである。
【００８１】
リフィル２１２は、ページの追加および削除を行うためのツールである。リフィル２１２によりページの追加を行う場合は、ユーザに追加するページのリフィルタイプを選択させる。
【００８２】
アートナイフ２１３は、編集領域２０２の分割を行うためのものである。また、アートナイフ２１３は、編集領域２０２において、手入力した編集情報の切り出し機能を実現するためのものであり、いわゆるカットアンドペースト機能を実現するものである。アートナイフ２１３によりカットアンドペーストを行うときには、まず切り出す対象の領域を囲んで、対象の領域を切り取る。そして、切り取った領域を、同じページ内の別の場所にドラッグしたり、異なるページに移動させたりして、所望の場所にペーストする。
【００８３】
そして、ペンケース２１４は、電子ノートを編集するための主なツールであり、手入力を行うためのツールである。ユーザは、ペンケース２１４から、所望のペンの種類、例えばペンの太さ・色を選択して入力を行うことができる。
【００８４】
なお、機能切り替え操作によって電子ノート機能が起動状態となったときに、最初にペンケース２１４のペンツールが選択されている状態になるように電子ノート機能部１４２を構成してもよい。また、ペンケース２１４には、一度手書き入力した編集情報を消去するための消しゴムツールを有している。
【００８５】
（ページ分割表示機能）
次に、本実施形態における分割表示機能の詳細について図１および図６を参照して説明すると以下のとおりである。
【００８６】
図１の電子ノート機能部１４２には、上記分割表示機能の概略構成が示されている。図示のように、電子ノート機能部１４２は、状態移行部（ページ分割操作取得手段）１１、ページ分割部（分割手段）１２、テーブル作成部（管理情報作成手段）１３、ページ捲り受付部（ページ捲り操作取得手段）１４、テーブル更新部（管理情報更新手段）１５、および分割表示制御部（分割表示制御手段）１６を備える。
【００８７】
状態移行部１１は、アプリケーション部１４１から通知されるジェスチャー情報が、現在表示しているページの分割を受け付ける状態、すなわちページ分割モードに移行するよう指示するページ分割指示のジェスチャー情報である場合、電子ノート機能部１４２をページ分割モードに移行させるものである。
【００８８】
ページ分割部１２は、電子ノート機能部１４２が、状態移行部１１によって、ページ分割モードになったときに、編集領域２０２を複数の分割領域に分割するものである。ページ分割部１２は、分割した複数の分割領域の位置を示す位置情報をテーブル作成部１３に送信する。
【００８９】
テーブル作成部１３は、分割管理テーブルを作成して、分割管理テーブル記憶部１３２に記憶するものである。図６は、分割管理テーブルの一例を表形式で示している。図示のように、分割管理テーブルは、ページ分割部１２が分割した複数の分割領域ごとに、分割領域の名称と、表示するページの番号を示す表示ページ（表示ページ番号）と、分割領域の位置情報と、上記ページの番号を表示するページ番号領域の位置情報とがそれぞれ対応付けられている。
【００９０】
ページ捲り受付部１４は、ページ捲りを指示するジェスチャー情報を受け付けるものである。ページ捲り受付部１４は、受け付けたジェスチャー情報をテーブル更新部１５に送信する。具体的には、ページ捲り受付部１４は、アプリケーション部１４１から通知されるジェスチャー情報が、ページ捲りを指示するもの（例えば、右フリック・左フリック）か否かを判定する。そして、ジェスチャー情報がページ捲りを指示するジェスチャー情報である場合、ページ捲り受付部１４は、次ページおよび前ページの何れのページ捲りの指示であるかを判断し、判断したページ捲りの指示と、当該ジェスチャーが行われた編集領域２０２におけるジェスチャー位置の情報とをテーブル更新部１５に送信する。
【００９１】
テーブル更新部１５は、ページ捲り受付部１４からの情報に基づいて、分割管理テーブル記憶部１３２の分割管理テーブルを更新するものである。具体的には、テーブル更新部１５は、まず、ページ捲り受付部１４からのページ捲りの指示と、ジェスチャー位置の情報とを受け取る。次に、テーブル更新部１５は、分割管理テーブル記憶部１３２に記憶された分割管理テーブルを参照して、上記ジェスチャー位置が何れの分割領域に含まれるかを特定し、特定した分割領域に対応する表示ページを、上記ページ捲りの指示に基づいて更新する。
【００９２】
分割表示制御部１６は、上記ページ分割モードに対応した表示を表示部１２１に行わせるものである。具体的には、分割表示制御部１６は、分割管理テーブル記憶部１３２に記憶された分割管理テーブルを参照して、或る分割領域に対応する表示ページのページ情報に関して、当該分割領域に対応する位置情報で示される部分を表示させ、これを全ての分割領域について繰り返す。さらに、分割表示制御部１６は、分割管理テーブル記憶部１３２に記憶された分割管理テーブルを参照して、分割領域ごとに、対応するページ番号領域に、対応する表示ページを表示させる。
【００９３】
（ページ分割表示機能の動作詳細）
次に、図７を用いて、本実施形態の電子ノート機能部１４２が有する電子ノートのページ分割表示機能の動作詳細について説明する。
【００９４】
図７は、上記ページ分割表示機能に関して、ユーザが表示部１２１の編集領域２０２にて行う操作の一例を示している。同図の（ａ）は、ユーザがページ分割を指示する操作の一例を示しており、同図の（ｂ）は、ユーザがページ捲りを指示する操作の一例を示している。
【００９５】
図７の（ａ）では、第２５ページのページ情報Ｐ２５が表示されている。このとき、ユーザは、図５に示すツールボックス２１０の中からアートナイフ２１３を選択し、編集領域２０２の左端および右端の何れか一方から他方まで、指１５２等でドラッグする。これにより、編集領域２０２は、図７の（ｂ）に示すように、ドラッグされた線を境界として、上下２つの分割領域３０１・３０２に分割され、分割領域３０１・３０２の境界に分割線３０３が施されることになる。
【００９６】
次に、図７の（ｂ）に示すように、ユーザは、上側の分割領域３０１において指１５２等で左フリックＦ１を行う。これにより、上側の分割領域３０１には、第２５ページのページ情報Ｐ２５における分割領域３０１と対応する部分から、第２６ページのページ情報Ｐ２６における分割領域３０１と対応する部分に表示が変更されることになる。
【００９７】
従って、第２５ページのページ情報Ｐ２５における下側の分割領域３０２と対応する部分を参照したり記入したりしつつ、第２６ページのページ情報Ｐ２６における上側の分割領域３０１と対応する部分を参照したり記入したり、さらに別のページ情報における上側の分割領域３０１と対応する部分を参照したり記入したりすることができるので、ユーザの利便性を向上させることができる。
【００９８】
また、図７の（ｂ）に示すように、分割領域３０１・３０２の適当な位置（図示の例では右下隅）に、表示されているページのページ番号が追加表示されている。これにより、ユーザは、分割領域３０１・３０２のそれぞれに表示されているページを把握できるので、利便性をさらに向上させることができる。
【００９９】
また、図７の（ａ）と同様の操作を行うことにより、ページ分割を解除するように構成してもよい。
【０１００】
（ページ分割表示処理の流れ）
次に、図８〜図１０を用いて、本実施形態の電子ノート機能部１４２におけるページ分割処理と、その後の表示処理の流れについて説明する。図８は、電子ノート装置１００における電子ノート機能部１４２のページ分割処理の流れについて示したフローチャートである。また、図９および図１０は、電子ノート機能部１４２の分割表示処理の流れについて示したフローチャートである。
【０１０１】
まず、状態移行部１１が、例えば図７の（ａ）に示すような、ページ分割指示のジェスチャー情報を受信すると、図８に示すページ分割モードに移行する。このとき、ページ分割部１２は、編集領域２０２を複数の分割領域３０１・３０２に分割する（Ｓ１１）。次に、テーブル作成部１３は、分割された分割領域３０１・３０２に関する情報（例えば、表示ページ、位置情報、ページ番号領域など）に基づいて、分割管理テーブルを作成し、分割管理テーブル記憶部１３２に記憶する（Ｓ１２）。その後、図９に示す分割表示モードに移行する。
【０１０２】
図９に示すように、ページ捲り受付部１４は、ページ捲りを指示するジェスチャー情報を受け取ったか否かを判断する（Ｓ１３）。受け取った場合、テーブル更新部１５は、分割管理テーブル記憶部１３２に記憶された分割管理テーブルを参照して、上記ジェスチャー位置が分割領域３０１・３０２の何れに含まれるかを特定し、特定した分割領域に対応する表示ページを、上記ページ捲りの指示に基づいて更新する（Ｓ１４）。次に、分割表示制御部１６は、図１０に示す分割表示制御の処理を行う（Ｓ１５）。
【０１０３】
図１０に示すように、分割表示制御部１６は、まず、主制御部１４０と表示部１２１との間でバッファとして機能するＶＲＡＭ（video RAM）（図示せず）に対し、初期化を行う（Ｓ２１）。次に、分割表示制御部１６は、或る画素を対象画素とし（Ｓ２２）、該対象画素の位置情報と上記分割管理テーブルの位置情報とから、当該対象画素が含まれる分割領域を特定する（Ｓ２３）。
【０１０４】
次に、分割表示制御部１６は、特定された分割領域の表示ページを上記分割管理テーブルから取得し、取得された表示ページの編集情報における当該対象画素の画素値を電子ノート情報記憶部１３１から読み出して上記ＶＲＡＭに書き込む（Ｓ２４）。次に、分割表示制御部１６は、別の画素を対象画素として、上記Ｓ２３・Ｓ２４を繰り返し、これを全画素に対して行う（Ｓ２５・Ｓ２６）。
【０１０５】
次に、分割表示制御部１６は、上記分割管理テーブルを参照して、分割領域３０１・３０２ごとに、対応するページ番号領域に、対応する表示ページのページ番号を追加するように、上記ＶＲＡＭに書き込む（Ｓ２７）。そして、分割表示制御部１６は、表示部１２１に対し、上記ＶＲＡＭに書き込まれた表示用画像のデータに基づいて表示用画像を表示するように指示する（Ｓ２８）。その後、Ｓ１３に戻り、上記処理を繰り返す。
【０１０６】
なお、本実施形態では、図７（ａ）・（ｂ）に示すように、指１５２等でドラッグされた線に近似する直線を分割線３０３としているが、曲線、折れ線などの任意の線で上記ドラッグされた線を近似してもよい。また、指１５２等でドラッグされた線自体を分割線３０３としてもよい。図１１は、上記ドラッグされた線を分割線３０３とした場合のページ情報の一例を示している。なお、図１１では、分割領域３０２におけるページ番号の領域は左下隅となっている。このように、ページ番号の領域は、任意の位置に設定できる。
【０１０７】
また、本実施形態では、表示部１２１に表示する表示用画像における各画素について、分割領域３０１・３０２の何れに含まれるかを判断して、画素値を決定しているが、マスク画像を利用して表示用画像を作成してもよい。
【０１０８】
例えば、分割領域３０２をマスクする第１マスク画像と、分割領域３０１をマスクする第２マスク画像とを用意する。次に、分割領域３０１に対応する表示ページのページ情報と第１マスク画像とを組み合わせて、分割領域３０１にのみページ情報を有する第１部分画像を作成する。同様に、分割領域３０２に対応する表示ページのページ情報と第２マスク画像とを組み合わせて、分割領域３０２にのみページ情報を有する第２部分画像を作成する。そして、第１部分画像と第２部分画像とを合成することにより、上記表示用画像が作成される。マスク画像を利用して表示用画像を作成する場合、図１０に示すような画素ごとの逐次処理を行う必要が無いので、表示用画像の作成処理が速くなり、その結果、表示の書換え処理が速くなる。
【０１０９】
〔実施形態２〕
本発明の他の実施形態について図１２〜図１８に基づいて説明すると、以下の通りである。図１２は、上記実施形態におけるページ分割の表示の一例を示している。上記実施形態では、ページ分割モードに移行すると、全てのページに対しページ分割が行われている。このため、同図の（ａ）・（ｂ）に示すように、ページをどのように捲っても、分割表示が行われている。
【０１１０】
これに対し、本実施形態では、ページ分割が行われるページの範囲が設定され、設定された範囲の電子情報は分割表示され、その他の電子情報がページ単位で通常表示される。これにより、分割表示が望ましくない電子情報に対し分割表示を行わないようにすることができ、ユーザの利便性がさらに向上する。なお、説明の便宜上、上記実施形態にて説明した図面と同じ機能を有する部材については、同じ符号を付記し、その説明を省略する。
【０１１１】
図１３は、本実施形態における電子ノート装置１００の概略構成を示す機能ブロック図である。本実施形態の電子ノート装置１００は、図１に示す電子ノート装置１００に比べて、電子ノート機能部１４２に表示モード判断部（表示制御切換手段）２１および通常表示制御部（通常表示制御手段）２２が追加されている点と、分割が行われたページである分割ページの範囲（分割対象ページ番号）が分割管理テーブル記憶部１３２に記憶される点とが異なり、その他の構成は同様である。
【０１１２】
図１４は、分割管理テーブル記憶部１３２に記憶される分割ページの範囲の一例を示している。図示の例では、分割ページの範囲は第１ページ〜第１８ページとなっている。なお、分割管理テーブル記憶部１３２に記憶される分割ページは、１つでも複数でもよいし、連続するページ番号でも離散的なページ番号でもよい。
【０１１３】
表示モード判断部２１は、ページ捲り受付部１４とテーブル更新部１５との間に設けられ、ユーザからのページ捲りの指示に基づき、上記分割表示と、ページ単位で表示する通常表示との何れの表示モードで表示するかを判断するものである。表示モード判断部２１は、判断結果に基づき、テーブル更新部１５、分割表示制御部１６、および通常表示制御部２２に指示を行う。
【０１１４】
具体的には、表示モード判断部２１は、まず、現在の表示モードが分割表示および通常表示の何れのモードであるかを判断する。現在のモードが分割表示のモードである場合、表示モード判断部２１は、ページ捲り受付部１４からのページ捲りの指示と上記ジェスチャー位置の情報とに基づき、ページ捲りの対象となるページが、上記分割ページであるか否かを判断する。
【０１１５】
ここで、ページ捲りの対象となるページとは、実際の紙媒体において捲られるページのことである。すなわち、左フリック（次ページへの捲り）の場合、現在表示されているページ（分割ページでは上記ジェスチャー位置が含まれる分割領域の表示ページ）が、ページ捲りの対象となる。また、右フリック（前ページへの捲り）の場合、現在表示されているページの前ページ（分割ページの場合は、上記ジェスチャー位置が含まれる分割領域の表示ページの前ページ）が、ページ捲りの対象となる。
【０１１６】
ページ捲りの対象となるページが上記分割ページである場合、表示モード判断部２１は、テーブル更新部１５にページ捲りの指示と上記ジェスチャー位置の情報とを送信すると共に、上記分割表示を行うように分割表示制御部１６に指示する。一方、ページ捲りの対象となるページが上記分割ページではない場合、表示モード判断部２１は、上記通常表示を行うように通常表示制御部２２に指示し、その後、通常表示のモードに移行する。
【０１１７】
一方、現在のモードが通常表示のモードである場合、表示モード判断部２１は、ページ捲り受付部１４からのページ捲りの指示と上記ジェスチャー位置の情報とに基づき、ページを捲った後のページが、上記分割ページであるか否かを判断する。例えば、左フリック（次ページへの捲り）の場合、現在表示されているページの次のページが、ページを捲った後のページとなり、右フリック（前ページへの捲り）の場合、現在表示されているページの前のページが、ページを捲った後のページとなる。
【０１１８】
ページを捲った後のページが上記分割ページではない場合、表示モード判断部２１は、上記通常表示を行うように通常表示制御部２２に指示する。一方、ページを捲った後のページが上記分割ページである場合、表示モード判断部２１は、テーブル更新部１５にページ捲りの指示と上記ジェスチャー位置の情報とを送信すると共に、上記分割表示を行うように分割表示制御部１６に指示し、その後、分割表示のモードに移行する。
【０１１９】
通常表示制御部２２は、ページ単位で表示する通常表示を表示部１２１に行わせるものである。具体的には、通常表示制御部２２は、ページ捲りの対象となるページのページ情報を電子ノート機能部１４２から読み出す。次に、通常表示制御部２２は、読み出したページ情報に基づいて、例えば図３および図４に示すように、表示部１２１のページ番号領域２０１にページ番号を表示させ、編集領域２０２に編集情報を表示させ、リフィルタイプに基づいて背景を表示させる。
【０１２０】
（ページ分割表示機能の動作詳細）
次に、図１５および図１６を用いて、本実施形態の電子ノート機能部１４２が有する電子ノートのページ分割表示機能の動作詳細について説明する。
【０１２１】
図１５は、分割ページの範囲が第１ページのみである場合における表示の一例を示している。この場合、第１ページが表示されているときに、下側の分割領域３０２にて左フリックが行われると、同図の（ａ）に示すように、下側の分割領域３０２に第２ページの対応部分が分割表示される。次に、下側の分割領域３０２にて左フリックが行われると、ページ捲りの対象となるページは、第２ページであり、分割ページではないので、同図の（ｂ）に示すように、第３ページが通常表示されることになる。
【０１２２】
なお、図１５の（ａ）の状態で、上側の分割領域３０１にて左フリックが行われると、第２ページ全体が表示されことになるが、分割表示のモードであるので、分割線３０３が表示されることになる。これを回避するには、上下の分割領域３０１・３０２に表示されるページが同じであり、かつ、該ページが分割ページではない場合、通常表示のモードに移行するようにすればよい。
【０１２３】
一方、図１５の（ｂ）に示すように、第３ページが通常表示されているときに、右フリックが行われると、第２ページが通常表示される。次に、分割領域３０１に対応する第２ページの上側部分で右フリックが行われると、同図の（ａ）に示すように、上側の分割領域３０１に第１ページの対応部分が分割表示されることになる。
【０１２４】
図１６は、ページ分割の操作において、指１５２等でドラッグするときの表示部１２１に対する押圧力で、分割ページの範囲が設定される場合における表示の一例を示している。同図の（ａ）では、上記押圧力により、分割ページの範囲が第１ページから第１８ページまでに設定される時の表示例を示している。図示の例では、ドラッグする位置の上方中央部に、分割ページの最終ページのページ番号が表示される。
【０１２５】
この場合、例えば、同図の（ｂ）に示すように、上側の分割領域３０１に第１ページの対応部分が表示され、下側の分割領域３０２に第１９ページの対応部分が表示される。このとき、下側の分割領域３０２にて左フリックが行われると、ページ捲りの対象となるページは、第２０ページであり、分割ページではないので、同図の（ｃ）に示すように、第２０ページが通常表示されることになる。
【０１２６】
なお、上記押圧力は、位置入力部１２２がタッチ操作の圧力を検出する機能を有することにより測定可能である。また、上記分割ページの最終ページのページ番号の表示は、上記押圧力の変化に応じて直ちに更新されることが望ましい。この場合、ユーザが意図した分割ページの範囲を設定することができるようになる。
【０１２７】
（ページ分割表示処理の流れ）
次に、図１７および図１８を用いて、本実施形態の電子ノート機能部１４２におけるページ分割後の表示処理の流れについて説明する。なお、ページ分割の処理は、図８に示す処理と同様であるので、その説明を省略する。
【０１２８】
図１７は、本実施形態の電子ノート機能部１４２における分割表示モードの処理の流れについて示したフローチャートである。上記ページ分割の処理後に分割表示モードに移行すると、図１７に示すように、ページ捲り受付部１４がページ捲りを指示するジェスチャー情報を受け取るまで、分割表示制御部１６は、図１０に示す分割表示制御の処理を繰り返す（Ｓ１３・Ｓ１５）。
【０１２９】
上記ジェスチャー情報を受け取ると、表示モード判断部２１は、ページ捲り受付部１４からのページ捲りの指示と上記ジェスチャー位置の情報とに基づき、ページ捲りの対象となるページが、上記分割ページであるか否かを判断する（Ｓ３１）。
【０１３０】
上記分割ページである場合、テーブル更新部１５は、表示モード判断部２１からのページ捲りの指示と上記ジェスチャー位置の情報とに基づき、上述のように、分割管理テーブル記憶部１３２における分割管理テーブルを更新する（Ｓ１４）。次に、分割表示制御部１６は、図１０に示す分割表示制御の処理を行い（Ｓ１５）、その後、Ｓ１３に戻って上記動作を繰り返す。
【０１３１】
一方、上記分割ページではない場合、通常表示制御部２２は、表示部１２１に通常表示させる通常表示制御を行う（Ｓ３２）。その後、図１８に示す通常表示のモードに移行する。
【０１３２】
通常表示のモードでは、図１８に示すように、ページ捲り受付部１４がページ捲りを指示するジェスチャー情報を受け取るまで、通常表示制御部２２は、上記通常表示制御の処理を繰り返す（Ｓ１３・Ｓ３２）。
【０１３３】
上記ジェスチャー情報を受け取ると、表示モード判断部２１は、ページ捲り受付部１４からのページ捲りの指示と上記ジェスチャー位置の情報とに基づき、捲った後のページが、上記分割ページであるか否かを判断する（Ｓ３３）。上記分割ページではない場合、通常表示制御部２２は、上記通常表示制御を行い（Ｓ３２）、その後、Ｓ１３に戻って上記動作を繰り返す。
【０１３４】
一方、上記分割ページである場合、テーブル更新部１５は、表示モード判断部２１からのページ捲りの指示と上記ジェスチャー位置の情報とに基づき、上述のように、分割管理テーブル記憶部１３２における分割管理テーブルを更新する（Ｓ１４）。次に、分割表示制御部１６は、図１０に示す分割表示制御の処理を行い（Ｓ１５）、その後、図１７に示す分割表示のモードに移行し、上記動作を繰り返す。
【０１３５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３６】
例えば、上記実施形態では、分割線３０３を左右の一端から他端に施して、ページを上下に分割しているが、分割線３０３を上下の一端から他端に施して、ページを左右に分割してもよい。さらに、分割線３０３を上下の一端から左右の一端に施して、例えば、左上部分と残りの部分とに分割してもよいし、分割線３０３を閉曲線として、閉曲線内の部分と残りの部分とに分割してもよい。何れの場合でも、図６に示す分割管理テーブルにおける位置情報を変更することにより実現できる。
【０１３７】
また、上記実施形態では、ページを２つに分割しているが、３つ以上に分割することもできる。この場合、図６に示す分割管理テーブルに、分割領域に対応付けられる表示ページ、位置情報、およびページ番号領域が新たに追加されることになる。
【０１３８】
（結び）
上記では、電子ノート装置１００の各ブロック、特に電子ノート機能部１４２を、ＣＰＵを用いてソフトウェアによって実現する例について説明した。
【０１３９】
すなわち、電子ノート装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子ノート装置１００の制御プログラムのプログラムコード（実行形式プログラム、中間コードプログラム、ソースプログラム）をコンピュータで読み取り可能に記録した記録媒体を、上記電子ノート装置１００に供給し、そのコンピュータ（またはＣＰＵやＭＰＵ）が記録媒体に記録されているプログラムコードを読み出し実行することによっても、達成可能である。
【０１４０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４１】
また、電子ノート装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。また、電子ノート装置１００の各ブロックは、ハードウェアロジックによって構成してもよい。
【産業上の利用可能性】
【０１４２】
本発明は、ページ単位で電子情報を表示する電子ノート装置において、ユーザの利便性を向上させることができるので、タッチパネルインターフェースを具備し、電子ノート機能を有するタブレットＰＣ、携帯端末等において広く好適に利用することができる。
【符号の説明】
【０１４３】
１１  状態移行部（ページ分割操作取得手段）
１２  ページ分割部（分割手段）
１３  テーブル作成部（管理情報作成手段）
１４  ページ捲り受付部（ページ捲り操作取得手段）
１５  テーブル更新部（管理情報更新手段）
１６  分割表示制御部（分割表示制御手段）
２１  表示モード判断部（表示制御切換手段）
２２  通常表示制御部（通常表示制御手段）
１００  電子ノート装置（情報処理装置）
１２０  タッチパネル部
１２１  表示部
１２２  位置入力部
１３０  記憶部
１３１  電子ノート情報記憶部
１３２  分割管理テーブル記憶部
１４０  主制御部
１４１  アプリケーション部
１４２  電子ノート機能部
１５１  タッチペン
１５２  指
２０１  ページ番号領域
２０２  編集領域
２１０  ツールボックス
２１３  アートナイフ
３０１・３０２  分割領域
３０３  分割線
【図１】
0005627985.tif 000002
【図２】
0005627985.tif 000003
【図３】
0005627985.tif 000004
【図４】
0005627985.tif 000005
【図５】
0005627985.tif 000006
【図６】
0005627985.tif 000007
【図７】
0005627985.tif 000008
【図８】
0005627985.tif 000009
【図９】
0005627985.tif 000010
【図１０】
0005627985.tif 000011
【図１１】
0005627985.tif 000012
【図１２】
0005627985.tif 000013
【図１３】
0005627985.tif 000014
【図１４】
0005627985.tif 000015
【図１５】
0005627985.tif 000016
【図１６】
0005627985.tif 000017
【図１７】
0005627985.tif 000018
【図１８】
0005627985.tif 000019